(57)【要約】【課題】  患者の細かな訴えを問診表として採取し、さらに、他覚所見及び血液検査データ等を加えて、より精度の高い確定診断を行うことができる診断支援システムを提供すること。【解決手段】  問診リストに対する回答が入力された状態で「病名判断ボタン７０５ｂ」が押下されると、病名判断処理を実行する（Ｓ１１１）。さらに、問診リストに対する回答が入力された状態で「登録・修正ボタン７０５ｃ」が押下されると、回答更新処理（Ｓ１１５）を実行し、更新後の回答入り問診リストを表示する（Ｓ１１７）。【選択図】      図１
2005115502.tif 000002
【特許請求の範囲】
【請求項１】
問診リストを表示する手段と、
前記問診リストに対する回答データを記憶する問診回答格納手段と、
問診コードと症状コードとを対応付けて記憶する症状コード格納手段と、
症状レベルデータを記憶する症状レベルデータ格納手段と、
診断基準データを記憶する診断基準データ格納手段と、
１又は２以上の知識ベースを記憶する知識ベース格納手段と、
補助ファイルを記憶する補助ファイル格納手段と、
第１のボタンが押下された場合、自動解析処理を実行する手段と、
第２のボタンが押下された場合、病名判断処理を実行する手段と、
前記自動解析処理または前記病名判断処理の結果を表示する手段と
を具備したことを特徴とする診断支援システム。
【請求項２】
請求項１に記載の診断支援システムにおいて、
前記第１のボタンが押下された場合、前記回答データ、前記症状レベルデータ、及び前記診断基準データに基づいて自動解析処理を実行する手段を具備したことを特徴とする診断支援システム。
【請求項３】
請求項１又は請求項２に記載の診断支援システムにおいて、
前記第２のボタンの押下後、所定のユーザ操作が行われた場合、
前記回答データに基づいて症状コードを取得する手段と、
前記症状コードのうちユーザによって選択された症状コード、及び前記知識ベースに基づいて一次検索処理を実行する手段と
を具備したことを特徴とする診断支援システム。
【請求項４】
請求項１乃至請求項３のいずれかに記載の診断支援システムにおいて、
前記第２のボタンの押下後、所定のユーザ操作が行われた場合、
前記回答データに基づいて症状コードを取得する手段と、
前記症状コードのうちユーザによって選択された症状コード、前記知識ベース、及び前記補助ファイルに基づいて二次検索処理を実行する手段と
を具備したことを特徴とする診断支援システム。
【発明の詳細な説明】
【技術分野】
【０００１】
本発明は診断支援システムに関するものであり、より具体的には、患者の呈する症状や血液検査データ等から疾患名等を検索する診断支援システムに関するものである。
【背景技術】
【０００２】
疾患情報から疾患名等を検索するための従来技術として、多変量解析やベイズ理論などを用いた解析技術がある。しかし、これは、コンピュータのみの解析で正しい診断（確定診断）を得ようとするものであった。また、それらは腎疾患や高血圧などの限定された分野のもので、一般内科全体をカバーするものではなかった。
【非特許文献１】鳥越恵治郎，「コンピュータ診断支援ツール」，日本医事新報（別刷），２００３年４月１２日，第４１２０号  上記問題点を解決すべく、非特許文献１には「コンピュータの解析力（アルゴリズム）のみをもって最終確定診断を求めるのではなく、患者から得た異常情報（自他覚症状・検査所見）から、人知の及ばぬ（思い至らぬ）疾患を、コンピュータを利用して、医師に思い出させることのできるシステム」「特定分野の疾患だけでなく、一般内科全体をカバーすることのできるシステム」が記載されている。
【発明の開示】
【発明が解決しようとする課題】
【０００３】
本発明の目的は、非特許文献１に記載の発明をさらに発展させ、患者の細かな訴えを問診表として採取し、さらに、他覚所見及び血液検査データ等を加えて、より精度の高い確定診断を行うことのできる診断支援システムを提供することにある。
【課題を解決するための手段】
【０００４】
本発明の診断支援システムは、問診リストを表示する手段と、問診リストに対する回答データを記憶する問診回答格納手段と、問診コードと症状コードとを対応付けて記憶する症状コード格納手段と、症状レベルデータを記憶する症状レベルデータ格納手段と、診断基準データを記憶する診断基準データ格納手段と、１又は２以上の知識ベースを記憶する知識ベース格納手段と、補助ファイルを記憶する補助ファイル格納手段と、第１のボタンが押下された場合、自動解析処理を実行する手段と、第２のボタンが押下された場合、病名判断処理を実行する手段と、自動解析処理または病名判断処理の結果を表示する手段とを具備したことを特徴とする。
【０００５】
上記診断支援システムは、第１のボタンが押下された場合、回答データ、症状レベルデータ、及び診断基準データに基づいて自動解析処理を実行することが好ましい。
上記診断支援システムは、第２のボタンの押下後、所定のユーザ操作が行われた場合、回答データに基づいて症状コードを取得する手段と、症状コードのうちユーザによって選択された症状コード、及び知識ベースに基づいて一次検索処理を実行することが好ましい。
上記診断支援システムは、第２のボタンの押下後、所定のユーザ操作が行われた場合、回答データに基づいて症状コードを取得する手段と、症状コードのうちユーザによって選択された症状コード、知識ベース、及び補助ファイルに基づいて二次検索処理を実行することが好ましい。
【発明の効果】
【０００６】
本発明の診断支援システムによれば、従来と比較して、精度の高い確定診断を行うことができる。
【発明を実施するための最良の形態】
【０００７】
以下、発明の実施の形態を通じて本発明を説明するが、以下の実施の形態は特許請求の範囲に係る発明を限定するものではなく、又実施の形態の中で説明されている特徴の組合せの全てが発明の解決手段に必須であるとは限らない。
【０００８】
＜処理フローチャート＞
（１）システム全体
図１は、本実施の形態の診断支援システムにおける一連の処理の流れを概略的に示す。本システムを起動すると、まず最初に問診リスト表示画面７００（図７）が表示される（Ｓ１０１）。問診リスト表示画面７００にはテキストボックス７０１やチェックボックス７０３等が複数設けられている。テキストボックス７０１には問診対象者の氏名や生年月日等を入力することができる。一方、チェックボックス７０３は問診に対する回答群のうち、当該問診対象者に当てはまる回答をチェックするためのものである。
Ｓ１０１で表示した問診リスト表示画面７００に対する回答をユーザが入力すると、本システムは当該回答を受け付け（Ｓ１０３）、所定の記憶領域に格納する。この記憶領域に格納されたは、再度本システムを起動したときに呼出すことが可能である（Ｓ１０５）。
【０００９】
本実施の形態では、問診リスト表示画面７００に「自動解析ボタン７０５ａ」「病名判断ボタン７０５ｂ」「登録・修正ボタン７０５ｃ」を設けている。問診リストに対する回答が入力された状態で「自動解析ボタン７０５ａ」が押下されると、自動解析処理（Ｓ１０７）を実行し、問診結果レポート８００（図８）を表示する（Ｓ１０９）。また、問診リストに対する回答が入力された状態で「病名判断ボタン７０５ｂ」が押下されると、病名判断処理を実行する（Ｓ１１１）。さらに、問診リストに対する回答が入力された状態で「登録・修正ボタン７０５ｃ」が押下されると、回答更新処理（Ｓ１１５）を実行し、更新後の回答入り問診リストを表示する（Ｓ１１７）。自動解析処理（図１のＳ１０７）及び病名判断処理（図１のＳ１１１）については後に詳しく説明する。
【００１０】
（２）自動解析処理
図２は、本実施の形態の自動解析処理（図１のＳ１０７）の一連の流れを概略的に示す。自動解析処理では、まず最初に回答データを作成して問診回答格納部６０３に格納する（Ｓ２０１）。次に、症状レベルデータ（症状／所見の重み度合いをデータ化したもの）格納部６１９と診断基準データ格納部６２２とを参照して、問診結果レポート８００を作成する（Ｓ２０３）。回答データから問診結果レポート８００を作成するまでの処理手順は、特願２００２−５６３１３の当初明細書に記載された内容とほぼ同一であるので説明を省略する。
【００１１】
（３）病名判断処理
図３は、本実施の形態の病名判断処理（図１のＳ１０７）の一連の流れを概略的に示す。病名判断処理では、まず最初に病名判断画面９００（図９）を表示する（Ｓ３０１）。本実施の形態では、病名判断画面９００に「問診からの症状一覧ボタン９０１」を設けている。問診リスト表示画面７００に回答が入力された状態でこのボタンを押下すると（Ｓ３０３）、「問診からの症状一覧画面（図１０の１０００）」が表示される。本実施の形態では、この画面１０００に「症状リストの更新ボタン１００１」を設けている。このボタンを押下すると問診回答格納部６０３と症状コード格納部６２０とに格納されたデータに基づいて症状リストが作成され（Ｓ３０５）、図１０の１００３に示すように症状リスト（問診リスト表示画面７００でチェックされた症状とコードとをリスト化したもの）が表示される（Ｓ３０７）。
【００１２】
本実施の形態では、症状リスト１００３の左端にチェックボックス１００３ａを設けている。ユーザはチェックボックス１００３ａをチェックすることにより、後述する一次又は二次検索処理に用いる症状を選択することができる。本実施の形態では「問診からの症状一覧画面１０００」に「設定ボタン１００５」を設けている。そして、上記チェックボックス１００３ａのいずれかをチェックした状態で当該設定ボタン１００５を押下すると、選択された症状と症状レコードのみが、病名判断画面９００の第４象限（問診からの症状一覧エリア９０３）に表示される（Ｓ３０８）。図１１の問診からの症状一覧エリア９０３は、症状と症状レコードが表示されたときの病名判断画面９００の第４象限を表している。
【００１３】
さらに、本実施の形態では、病名判断画面９００の第３象限に「追加症状入力エリア９０４」を設けている。問診リスト表示画面７００では得ることができない他覚所見や検査データがある場合、この追加症状入力エリア９０４に入力することができる。すなわち、追加症状／所見受付（Ｓ３０９）では、ユーザが当該エリアに手動入力した追加症状及び追加所見を受け付けたり、図示しないユーザ操作により血液検査データ格納部６０５に基づいて算出した検査データを追加症状として受け付ける。なお、当該格納部６０５への血液検査データの登録方法については後に詳しく説明する。
【００１４】
以上のようにして、一次又は二次検索処理に使用する症状が選択された後、病名診断ボタン９０５ａが押下されると一次検索処理を実行し（Ｓ３１１）、二次検索ボタン９０５ｂが押下されると二次検索処理を実行する（Ｓ３１３）。そして、各検索処理の実行後、検索結果を病名判断画面９００の第１〜２象限「検索結果表示エリア９０７」に一覧表示する（Ｓ３１５）。以下、一次検索処理及びニ次検索処理の詳細を説明する。
【００１５】
（３−１）一次検索処理
図４は、本実施の形態の一次検索処理の一連の流れを概略的に示す。本検索処理では、まず最初に一次検索に使用する症状コード（本実施の形態では、図９の問診からの症状表示エリア９０３（図９の第４象限）及び追加症状入力エリア９０４（図９の第３象限）に表示された症状コード）を取得する（Ｓ４０１）。次に、取得した症状コードと知識ベース格納部６３１とを総当りで標本照合し、一次検索結果リストを作成する（Ｓ４０３）。
【００１６】
症状コードから一次検索結果リストを作成するまでの処理手順は、特願２００２−１５１４６８の当初明細書に記載された内容とほぼ同一であるので説明を省略する。なお、ここでいう「症状コード」とは上記当初明細書の「コード化された疾患情報」を意味し、ここでいう症状コード格納部６２０とは上記当初明細書の「989の知識ベースが格納されている記憶領域」を意味するものとする。
【００１７】
また、上記当初明細書に記載された発明では「知識ベースの合計点が、予め用意した足切り点数以上であった場合、その知識ベースに登録してある情報（疾患ナンバー、疾患名など）をリストアップしている」が、本発明の実施の形態では上記のような足切りを行わず、Ｓ４０１で取得した症状コードをもつ全ての知識ベースをリストアップする。
【００１８】
（３−２）二次検索処理
図５は、本実施の形態の二次検索処理の一連の流れを概略的に示す。本実施の形態では、病名判断画面９００の第３及び第４象限の症状コード及び症状表示欄の右横に、二次検索用チェックボックス９０９ａ〜９０９ｂを設けている。この二次検索用チェックボックス９０９ａ〜９０９ｂは二次検索に用いる症状を選択するためのものである。したがって、本システムでは当該チェックボックス９０９ａ〜９０９ｂにチェックが入っている症状のみを二次検索に使用する。
【００１９】
二次検索処理が開始すると、まず最初に二次検索に使用する症状の症状コードを取得する（Ｓ５０１）。本実施の形態では、二次検索用チェックボックス９０９ａ〜９０９ｂにチェックが入っている症状コードを病名判断画面９００から取得する。次に、取得した症状コードと知識ベース格納部６３１とを総当りで標本照合し、さらに、補助ファイル格納部６３３を参照して二次検索結果リストを作成する（Ｓ５０３）。症状コードから二次検索結果リストを作成するまでの処理手順は、特願２００２−１５１４６８の当初明細書に記載された内容とほぼ同一であるので相違点のみ説明する。
【００２０】
相違点１）前述の一次検索処理（Ｓ３１１）及び上記当初明細書に記載の発明では、Ｓ４０１で取得した症状コードを１つでも有している知識ベースの合計点を算出し、この合計点でソートした知識ベースを検索結果リストとして表示していた。これに対し、本実施の形態の二次検索処理では、Ｓ５０１で取得した症状コード「全て」を有している知識ベースの合計点を算出する。そして、当該合計点で知識ベースをソートする。
【００２１】
相違点２）前述の一次検索処理（Ｓ３１１）及び上記当初明細書に記載の発明では、知識ベースのみを参照して検索結果リストを作成した。これに対し、本実施の形態の二次検索処理では、症状コード全てを含む知識ベースを合計点でソートした後、補助ファイル格納部６３３から補助ファイルを取得する。ここで補助ファイルとは、疾患情報（疾患ナンバー、疾患名など）と、１又は２以上の症状コードとを対応づけて登録したファイルをいう。Ｓ５０１で取得した症状コードを補助ファイルから検索し、検索一致した場合には当該症状コードと対応づけて登録されている疾患情報（疾患ナンバー、疾患名など）を拾い出し、ソートされた知識ベースの末尾に追加して表示する。
【００２２】
（３−３）血液検査データの登録方法
図１１は、本実施の形態の血液検査データ登録の一連の流れを概略的に示す。本実施の形態では、血液検査登録画面（図１１の１１０３）を用いて血液検査データを登録するものとする。図中の１１０３ａは項目番号−項目名称のリスト表示エリアである。図１１には、検査項目の項目番号（１０１００１００，１０１００６００，１０１００７００，１０１０１０００）と、当該項目番号に対応する項目名称（総蛋白，クンケル，チモール，ＧＯＴ）とが一覧表示される。項目番号表示エリア１１０３ｃにはリスト表示エリア１１０３ａから選択された検査項目の項目番号（図１１の場合、１０１０１０００）が表示される。項目名称表示エリア１１０３ｄにはリスト表示エリア１１０３ａから選択された検査項目の項目名称（図１１の場合、ＧＯＴ）が表示される。単位表示エリア１１０３ｅにはリスト表示エリア１１０３ａから選択された検査項目の検査値単位（図１１の場合、ＩＵ／ｌ）が表示される。
【００２３】
血液検査登録画面１１０３の第２象限には、リスト表示エリア１１０３ａから選択された検査項目（図１１の場合、ＧＯＴ）の基準値等を入力する。トグルボタン１１０３ｆは性別を選択するためのボタンである。テキストボックス１１０３ｇは対象年齢の最小値を入力する欄である。テキストボックス１１０３ｈは対象年齢の最大値を入力する欄である。テキストボックス１１０３ｉは基準値の最小値を入力する欄である。テキストボックス１１０３ｊは基準値の最大値を入力する欄である。図１１の場合、検査項目（項目名称：ＧＯＴ）の基準値は８〜４０［ＩＵ／ｌ］であり、その対象年齢は０〜９９９歳、対象性別は男女両方であるということになる。
トグルボタン１００３ｆのいずれかがチェックされ、テキストボックス１１０３ｇ〜ｊに値が入力された状態で設定ボタン１１０３ｂを押下すると、選択及び入力された内容が血液検査データ格納部６０５に登録される。
【００２４】
図１１の追加症状入力エリア９０４は、追加症状と追加症状コードが表示されたときの病名判断画面９００の第３象限を表している。テキストボックス１１０１ａには項目名称「ＧＯＴ」、テキストボックス１１０１ｂには検査値「４５」が入力されている。前述のとおり、本実施の形態では血液検査登録画面１１０３で項目名称「ＧＯＴ」の基準値を
８〜４０［ＩＵ／ｌ］として登録した。したがって、本システムでは一次検索処理（図３のＳ３１１）及び二次検索処理（図３のＳ３１３）を実行する場合「ＧＯＴの検査値が基準値よりも高い」ことを示す症状コードを用いて知識ベース格納部６３１や補助ファイル格納部６３３を検索する。
以上の手順により、ユーザは「問診結果レポート」「一次検索及び二次検索の検索結果」「過去又は最新の回答入り問診リスト」を知ることができる。
【００２５】
＜機能ブロック図＞
図６は、本発明の実施の形態である診断支援システム６００の内部構成を示す。これらの構成は、ハードウエアコンポーネントでいえば、任意のコンピュータのＣＰＵ、メモリ、メモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２６】
診断支援システム６００は、問診回答受付部６０１、問診回答格納部６０３、血液検査データ格納部６０５、追加症状受付部６０７、問診リスト表示部６０９、問診リスト格納部６１１、回答データ生成部６１３、問診結果レポート表示部６１５、問診結果レポート生成部６１７、症状レベルデータ格納部６１９、症状リスト表示部６２１、症状リスト生成部６２３、症状コード格納部６２０、診断基準データ格納部６２２、検索結果表示部６２５、一次検索結果生成部６２７、二次検索結果生成部６２９、知識ベース格納部６３１、補助ファイル格納部６３３、回答入り問診リスト生成部６３５、回答入り問診リスト表示部６３７を含む。
【００２７】
問診回答受付部６０１は問診リストに対するユーザからの回答を受け付ける。回答データ生成部６１３はユーザからの回答に基づいて回答データを生成する。問診回答格納部６０３は回答データを複数格納する。図１２の１２００は問診回答格納部６０３の構成例であり、問診対象者識別番号ブロック１２００ａ、問診コードブロック１２００ｂ、回答コードブロック１２００ｃが設けられている。一例として、問診対象者の識別番号が「Ａ００００１」、問診コード「Ｌ００１」に対する回答コードが「１」、問診コード「Ｌ００２」に対する回答コードが「０」、問診コード「Ｌ００３」に対する回答コードが「１」であることが記録されている。回答コードは回答（例えば、「はい」「いいえ」）を数値化（例えば、「はい」→１／「いいえ」→０）したものをいう。問診コードと問診項目（問診内容）との対応関係の一例を図１４乃至図２０に示す。
【００２８】
追加症状受付部６０７はユーザから追加症状を受け付ける。血液検査データ格納部６０５は各検査項目の項目番号、項目名称、性別毎（または性別関係なし）・年齢別（または年齢関係なし）の基準値が対応づけて格納している。
問診リスト表示部６０９は前述の問診リスト表示画面７００を表示する。問診リスト格納部６１１には図１４乃至図２０の問診項目（問診内容）その他表示動作に必要なデータが記載されている。
【００２９】
症状レベルデータ格納部６１９は症状レベルデータを複数格納する。図１３の１３０２は症状レベルデータ格納部６１９の構成例であり、問診コードブロック１３０２ａ、疾患区分１ブロック１３０２ｂ、疾患区分２ブロック１３０２ｃ、症状レベルブロック１３０２ｄが設けられている。一例として、問診コード「Ｌ００１」について疾患区分１の番号が「２」、疾患区分２の番号が「１」の症状レベルが「中症状」であること、問診コード「Ｌ００２」について疾患区分１の番号が「２」、疾患区分２の番号が「１」の症状レベルが「参考症状」であることが記録されている。問診コードと各疾患区分の番号と症状レベルの対応関係の一例を図２１乃至図３９に示す。本実施の形態では、同図に基づいて症状レベルデータを作成する。
【００３０】
診断基準データ格納部６２２は診断基準データを複数格納する。図１３の１３０４は診断基準データ格納部６２２の構成例であり、疾患区分フィールド１３０４ａ、基準データフィールド１３０４ｂが設けられている。一例として、疾患区分「１，１」に対し（この場合、疾患区分１の番号が１、疾患区分２の番号が１であることを示すとする）、基準データが「合計点が７点以上＝ほぼ確実、合計点が５〜６点＝疑わしい、合計点が４点以下＝棄却」であることが記録されている。
【００３１】
問診結果レポート生成部６１７は、症状レベルデータ格納部６１９及び診断基準データ格納部６２２に格納されているデータに基づいて問診結果レポート８００を生成する。生成手順については前述（自動解析処理の説明）の通りである。問診結果レポート表示部６１５は問診結果レポート生成部６１７の生成した問診結果レポート８００を表示する。
症状リスト表示部６２１は、問診からの症状一覧画面（図１０の１０００）に症状リストを表示する。症状リスト生成部６２３は、問診回答格納部６０３に格納されている回答データから、回答コードが所定値（例えば「１」）を表す問診コードのみを取得し、当該問診コードと対応一致する症状コードを症状コード格納部６２０から取得して症状リストを生成する。図１２の１２０４は症状コード格納部６２０の構成例であり、問診コードフィールド１２０４ａ、症状コードフィールド１２０４ｂが設けられている。一例として、問診コード「Ｌ００１」と症状コード「ｆａｔｉｇ」、問診コード「Ｌ００２」と症状コード「ｆｅｖｅｒ」、問診コード「Ｌ００３」と症状コード「ｓｗｅａｔ」とが対応付けて記憶されている。
【００３２】
知識ベース格納部６３１は知識ベースを複数格納している。図１２の１２０６は知識ベース格納部６３１の構成例であり、疾患ナンバーフィールド１２０６ａ、疾患名フィールド１２０６ｂ、疾患情報フィールド１２０６ｃ、インデックスフィールド１２０６ｄが設けられている。一例として、疾患ナンバー「Ｒ００１」、疾患名「大腸癌」、疾患情報「insom,syncop,emot・・・」及びインデックス「３」が対応付けて記憶されている。疾患情報フィールド１２０６ｃには１又は複数の症状コードが格納されている。
【００３３】
補助ファイル格納部６３３は疾患ナンバーと症状コードとを対応づけたレコードを複数格納している。図１２の１２０８は補助ファイル格納部６３３の構成例であり、疾患ナンバーフィールド１２０８ａ、症状コードフィールド１２０８ｂが設けられている。一例として、疾患ナンバー「Ｒ００１」と合計１０の症状コード「sense,visua,gait,diplop,speech,dysarth, MLF,Lher,spast,convuls」、疾患ナンバー「Ｒ００２」と合計２の症状コード「syncop,ortho」が対応付けて記憶されている。
【００３４】
一次検索結果生成部６２７は、知識ベース格納部６３１に格納されているデータに基づいて結果結果を生成する。生成手順については前述（一次検索処理の説明）の通りである。二次検索結果生成部６２９は、知識ベース格納部６３１と補助ファイル格納部６３３に格納されているデータに基づいて結果結果を生成する。生成手順については前述（二次検索処理の説明）の通りである。検索結果表示部６２５は一次検索及び二次検索の結果を表示する。
【００３５】
回答入り問診リスト生成部６３５は問診回答格納部６０３に格納されているデータに基づいてを回答入り問診リストを生成する。回答入り問診リスト表示部６３７は回答入り問診リストを表示する。
【産業上の利用可能性】
【００３６】
本発明は内科の診療みならず、その他の医療分野においても適用できる。
【図面の簡単な説明】
【００３７】
【図１】本発明の実施の形態を説明するためのシステムフローチャート。
【図２】本発明の実施の形態である自動解析処理のフローチャート。
【図３】本発明の実施の形態である病名判断処理のフローチャート。
【図４】本発明の実施の形態である一次検索処理のフローチャート。
【図５】本発明の実施の形態である二次検索処理のフローチャート。
【図６】本発明の実施の形態である機能ブロック図。
【図７】本発明の実施の形態である画面表示例を表した図。
【図８】本発明の実施の形態である画面表示例を表した図。
【図９】本発明の実施の形態である画面表示例を表した図。
【図１０】本発明の実施の形態である画面表示例を表した図。
【図１１】本発明の実施の形態である画面表示例を表した図。
【図１２】本発明の実施の形態であるデータ構成図。
【図１３】本発明の実施の形態であるデータ構成図。
【図１４】本発明の実施の形態であるデータ構成図。
【図１５】本発明の実施の形態であるデータ構成図。
【図１６】本発明の実施の形態であるデータ構成図。
【図１７】本発明の実施の形態であるデータ構成図。
【図１８】本発明の実施の形態であるデータ構成図。
【図１９】本発明の実施の形態であるデータ構成図。
【図２０】本発明の実施の形態であるデータ構成図。
【図２１】本発明の実施の形態であるデータ構成図。
【図２２】本発明の実施の形態であるデータ構成図。
【図２３】本発明の実施の形態であるデータ構成図。
【図２４】本発明の実施の形態であるデータ構成図。
【図２５】本発明の実施の形態であるデータ構成図。
【図２６】本発明の実施の形態であるデータ構成図。
【図２７】本発明の実施の形態であるデータ構成図。
【図２８】本発明の実施の形態であるデータ構成図。
【図２９】本発明の実施の形態であるデータ構成図。
【図３０】本発明の実施の形態であるデータ構成図。
【図３１】本発明の実施の形態であるデータ構成図。
【図３２】本発明の実施の形態であるデータ構成図。
【図３３】本発明の実施の形態であるデータ構成図。
【図３４】本発明の実施の形態であるデータ構成図。
【図３５】本発明の実施の形態であるデータ構成図。
【図３６】本発明の実施の形態であるデータ構成図。
【図３７】本発明の実施の形態であるデータ構成図。
【図３８】本発明の実施の形態であるデータ構成図。
【図３９】本発明の実施の形態であるデータ構成図。
【符号の説明】
【００３８】
６０１    問診回答受付部
６０３    問診回答格納部
６０５    血液検査データ格納部
６０７    追加症状受付部
６０９    問診リスト表示部
６１１    問診リスト格納部
６１５    問診結果レポート表示部
６１７    問診結果レポート生成部
６１９    症状レベルデータ格納部
６２０    症状コード格納部
６２１    症状リスト表示部
６２３    症状リスト生成部
６２５    検索結果表示部
６２７    一次検索結果生成部
６２９    二次検索結果生成部
６３１    知識ベース格納部
６３３    補助ファイル格納部
【図１】
2005115502.tif 000003
【図２】
2005115502.tif 000004
【図３】
2005115502.tif 000005
【図４】
2005115502.tif 000006
【図５】
2005115502.tif 000007
【図６】
2005115502.tif 000008
【図７】
2005115502.tif 000009
【図８】
2005115502.tif 000010
【図９】
2005115502.tif 000011
【図１０】
2005115502.tif 000012
【図１１】
2005115502.tif 000013
【図１２】
2005115502.tif 000014
【図１３】
2005115502.tif 000015
【図１４】
2005115502.tif 000016
【図１５】
2005115502.tif 000017
【図１６】
2005115502.tif 000018
【図１７】
2005115502.tif 000019
【図１８】
2005115502.tif 000020
【図１９】
2005115502.tif 000021
【図２０】
2005115502.tif 000022
【図２１】
2005115502.tif 000023
【図２２】
2005115502.tif 000024
【図２３】
2005115502.tif 000025
【図２４】
2005115502.tif 000026
【図２５】
2005115502.tif 000027
【図２６】
2005115502.tif 000028
【図２７】
2005115502.tif 000029
【図２８】
2005115502.tif 000030
【図２９】
2005115502.tif 000031
【図３０】
2005115502.tif 000032
【図３１】
2005115502.tif 000033
【図３２】
2005115502.tif 000034
【図３３】
2005115502.tif 000035
【図３４】
2005115502.tif 000036
【図３５】
2005115502.tif 000037
【図３６】
2005115502.tif 000038
【図３７】
2005115502.tif 000039
【図３８】
2005115502.tif 000040
【図３９】
2005115502.tif 000041